(57)【要約】【課題】メインとなる表示装置に表示されるメイン情報とは別に表示されるサブ情報の秘匿性を高めることができる技術の提供。【解決手段】サブ表示装置１は、メイン情報Ｄ２を表示するメイン表示装置２と組み合わせて用いられて、サブ情報Ｄ１を表示する。サブ表示装置１は、メイン表示装置２よりも小型の板状体であって、メイン表示装置２に、直接にまたは間接的に、取り付けて用いられる表示本体部１１を備える。表示本体部１１は、使用状態と不使用状態の間で切り替え可能に構成されており、表示本体部１１が使用状態とされると、表示本体部１１に、サブ情報Ｄ１が視認されるように表示され、表示本体部１１が不使用状態とされると、サブ情報Ｄ１が視認不可能となるように構成されている。【選択図】図２
2020135119.tif 000002
【特許請求の範囲】
【請求項１】
メイン情報を表示するメイン表示装置と組み合わせて用いられて、サブ情報を表示する、サブ表示装置であって、
前記メイン表示装置よりも小型の板状体であって、前記メイン表示装置に、直接にまたは間接的に、取り付けて用いられる表示本体部、
を備え、
前記表示本体部が、使用状態と不使用状態の間で切り替え可能に構成されており、
前記表示本体部が前記使用状態とされると、前記表示本体部に、前記サブ情報が視認されるように表示され、前記表示本体部が前記不使用状態とされると、前記サブ情報が視認不可能となるように構成されている、
ことを特徴とするサブ表示装置。
【請求項２】
請求項１に記載のサブ表示装置であって、
前記表示本体部をスライド可能に保持するスライド保持部、
を備え、
前記表示本体部の少なくとも一部が、前記スライド保持部に収容されることで、前記サブ情報が視認不可能となるように構成されている、
ことを特徴とするサブ表示装置。
【請求項３】
請求項２に記載のサブ表示装置であって、
前記不使用状態において、前記表示本体部の一部が、前記スライド保持部から露出するように構成されている、
ことを特徴とするサブ表示装置。
【請求項４】
請求項１から３のいずれかに記載のサブ表示装置であって、
前記表示本体部の少なくとも一部が、前記メイン表示装置と重なるように配置されることで、前記サブ情報が視認不可能となるように構成されている、
ことを特徴とするサブ表示装置。
【請求項５】
請求項４に記載のサブ表示装置であって、
前記表示本体部の少なくとも一部が、前記メイン表示装置の背面側にこれと重なるように配置されることで、前記サブ情報が視認不可能となるように構成されている、
ことを特徴とするサブ表示装置。
【請求項６】
請求項４または５に記載のサブ表示装置であって、
前記不使用状態において、前記表示本体部の一部が、前記メイン表示装置と重ならないように構成されている、
ことを特徴とするサブ表示装置。
【請求項７】
請求項１から６のいずれかに記載のサブ表示装置であって、
前記表示本体部が、付箋の貼り付けが可能な面領域を備え、
前記サブ情報が、前記面領域に貼り付けられた付箋に書き込まれている情報である、
ことを特徴とするサブ表示装置。
【発明の詳細な説明】
【技術分野】
【０００１】
本発明は、メインとなる表示装置と組み合わせて用いられて、該メインとなる表示装置に表示される情報（メイン情報）とは別に、情報（サブ情報）を表示するサブ表示装置に関する。
【背景技術】
【０００２】
一般に、パーソナルコンピュータ等の情報処理装置には、ここから出力される情報を表示するためのディスプレイ（表示装置）が接続されて、ここにパーソナルコンピュータから出力された情報が視覚的に表示されるようになっており、使用者は、該ディスプレイを見ながら各種の作業を行う。
【０００３】
パーソナルコンピュータの使用者によっては、ＴｏＤｏリスト、伝言用件、簡単な覚え書き、等の情報については、作業用のパーソナルコンピュータに入力せずに、付箋紙やメモ用紙に書き込んで管理している場合がある。また、使用者によっては、これらの情報が書き込まれた付箋紙を、ディスプレイのフレーム部分に貼り付けておくこともある。こうしておくことによって、使用者が、付箋に書き込まれた情報を、ディスプレイに表示される情報とともに視認することができ、作業効率の向上が見込めるからである。
【０００４】
ところが、ディスプレイのフレーム部分は、本来、付箋等を貼り付けるためのスペースではないため、ここに付箋を貼り付けると、付箋が容易に剥がれる、貼り付けることができる付箋の数が限られる、付箋を貼り付けることにより見栄えが悪くなる、等の不都合が生じてしまう。
【０００５】
これらの問題に鑑み、例えば特許文献１では、メスベルクロマジックテープ（登録商標）でディスプレイのフレーム部分に取り付けるデータホルダーが記載されている。このデータホルダーにはペーパークリップが設けられており、ここに情報が書き込まれた用紙を挟み込ませることで、ディスプレイの近傍に情報が書き込まれた用紙を保持することができるようになっている。この技術を用いれば、ディスプレイのフレーム部分に付箋を貼り付けた場合に生じる上記の不都合は生じない。
【先行技術文献】
【特許文献】
【０００６】
【特許文献１】実開平０７−０３６２１９号公報
【発明の概要】
【発明が解決しようとする課題】
【０００７】
ところで、ディスプレイのフレーム部分に付箋を貼り付けるという使用態様において生じる別の大きな問題は、付箋に書き込まれた情報が常に人目に晒されてしまうということである。例えば、使用者がパーソナルコンピュータでの作業を終了してその電源を落とすと、ディスプレイの表示は終了されるものの、フレーム部分に貼り付けられた付箋に書き込まれた情報はその後も人目にさらされ続けてしまう。この問題は、特許文献１の技術を用いても回避することができない。
【０００８】
本発明は、上記の事情に鑑みてなされたものであり、メインとなる表示装置に表示されるメイン情報とは別に表示されるサブ情報の秘匿性を高めることができる技術の提供を目的としている。
【課題を解決するための手段】
【０００９】
本発明は、かかる目的を達成するために、次のような手段を講じたものである。
【００１０】
すなわち、本発明は、
メイン情報を表示するメイン表示装置と組み合わせて用いられて、サブ情報を表示する、サブ表示装置であって、
前記メイン表示装置よりも小型の板状体であって、前記メイン表示装置に、直接にまたは間接的に、取り付けて用いられる表示本体部、
を備え、
前記表示本体部が、使用状態と不使用状態の間で切り替え可能に構成されており、
前記表示本体部が前記使用状態とされると、前記表示本体部に、前記サブ情報が視認されるように表示され、前記表示本体部が前記不使用状態とされると、前記サブ情報が視認不可能となるように構成されている、
ことを特徴とする。
【００１１】
この構成によると、表示本体部を使用状態から不使用状態に切り替えることで、サブ情報を視認不可能とすることができるので、サブ情報の秘匿性を高めることができる。
【００１２】
好ましくは、前記サブ表示装置において、
前記表示本体部をスライド可能に保持するスライド保持部、
を備え、
前記表示本体部の少なくとも一部が、前記スライド保持部に収容されることで、前記サブ情報が視認不可能となるように構成されている、
ことを特徴とする。
【００１３】
この構成によると、使用者が、簡単な操作で、表示本体部を不使用状態とすることができるとともに、サブ表示装置の構成を簡易なものとすることができる。
【００１４】
好ましくは、前記サブ表示装置において、
前記不使用状態において、前記表示本体部の一部が、前記スライド保持部から露出するように構成されている、
ことを特徴とする。
【００１５】
この構成によると、表示本体部におけるスライド保持部から露出した部分を掴んで表示本体部をスライド保持部から容易に引き出すことができるので、使用者は、不使用状態から使用状態への切り替えを容易に行うことができる。
【００１６】
好ましくは、前記サブ表示装置において、
前記表示本体部の少なくとも一部が、前記メイン表示装置と重なるように配置されることで、前記サブ情報が視認不可能となるように構成されている、
ことを特徴とする。
【００１７】
この構成によると、不使用状態への切り替えが容易である。また、不使用状態において表示本体部が邪魔になりにくい。
【００１８】
好ましくは、前記サブ表示装置において、
前記表示本体部の少なくとも一部が、前記メイン表示装置の背面側にこれと重なるように配置されることで、前記サブ情報が視認不可能となるように構成されている、
ことを特徴とする。
【００１９】
この構成によると、不使用状態への切り替えが容易である。また、不使用状態において表示本体部が邪魔になりにくく、不使用状態とされている表示本体部によってメイン情報の視認が妨げられることがない。
【００２０】
好ましくは、前記サブ表示装置において、
前記不使用状態において、前記表示本体部の一部が、前記メイン表示装置と重ならないように構成されている、
ことを特徴とする。
【００２１】
この構成によると、表示本体部におけるメイン表示装置と重ならない部分を掴んで、表示本体部の位置を容易に変更することができるので、使用者は、不使用状態から使用状態への切り替えを容易に行うことができる。
【００２２】
好ましくは、前記サブ表示装置において、
前記表示本体部が、付箋の貼り付けが可能な面領域を備え、
前記サブ情報が、前記面領域に貼り付けられた付箋に書き込まれている情報である、
ことを特徴とする。
【００２３】
この構成によると、サブ表示装置の構成を簡易なものとすることができる。
【発明の効果】
【００２４】
本発明によると、メインとなる表示装置に表示されるメイン情報とは別に表示されるサブ情報の秘匿性を高めることができる。
【図面の簡単な説明】
【００２５】
【図１】本発明の実施形態に係るサブ表示装置を示す図。
【図２】サブ表示装置の使用態様を示す図。
【図３】第１変形例に係るサブ表示装置を示す図。
【図４】第１変形例に係る別のサブ表示装置を示す図。
【図５】第２変形例に係るサブ表示装置を示す図。
【図６】第２変形例に係る別のサブ表示装置を示す図。
【図７】第２変形例に係る別のサブ表示装置を示す図。
【図８】第２変形例に係る別のサブ表示装置を示す図。
【図９】第３変形例に係るサブ表示装置を示す図。
【図１０】第３変形例に係る別のサブ表示装置を示す図。
【図１１】第４変形例に係るサブ表示装置を示す図。
【発明を実施するための形態】
【００２６】
以下、本発明の実施形態について、図面を参照しつつ説明する。
【００２７】
＜１．構成＞
実施形態に係るサブ表示装置の構成について、図１を参照しながら説明する。図１は、実施形態に係るサブ表示装置１を示す図である。具体的には、図１（ａ）は、サブ表示装置１の正面図であり、図１（ｂ）は、サブ表示装置１の背面図であり、図１（ｃ）は、サブ表示装置１において、表示本体部１１をスライド保持部１２から引き出した状態を示す正面図である。
【００２８】
サブ表示装置１は、表示本体部１１と、スライド保持部１２と、を備える。
【００２９】
表示本体部１１は、サブ表示装置１と組み合わせて用いられるメイン表示装置２（図２）よりも小型の板状体である。具体的には、表示本体部１１は、平面視にてメイン表示装置２よりも小さい略矩形の薄板状の部材であり、樹脂（例えば、ポリプロピレン）により形成される。
【００３０】
表示本体部１１の一方の主面には、付箋Ｇの貼り付けが可能な面領域（付箋貼付面領域）１１１が設けられている。周知の通り、付箋Ｇとは、裏面に弱粘着層が設けられることにより貼付と剥離が容易にできるように形成されたメモ用紙である。付箋貼付面領域１１１は、付箋Ｇが貼りつけやすく、また、貼り付けられた付箋Ｇが剥がれ落ちにくいように、十分な平滑度を有していることが好ましい。ここでは、付箋貼付面領域１１１に貼り付けられた付箋Ｇに書き込まれている情報が、サブ情報Ｄ１となる。つまり、付箋貼付面領域１１１が、サブ情報Ｄ１を表示する表示面を形成する。
【００３１】
スライド保持部１２は、表示本体部１１をスライド可能に保持する部材である。スライド保持部１２は、具体的には、樹脂（例えば、ポリプロピレン）により形成される略矩形の薄板状の部材が２枚重ね合わされるとともに、３辺が綴じられて袋状とされた部材である。表示本体部１１は、付箋貼付面領域１１１を正面に向け、スライド保持部１２における開口した側の端縁（開口端縁）１２１と直交する方向のスライド移動を許容されつつ、スライド保持部１２の内部に収容される。以下において、開口端縁１２１の延在方向を「幅方向」とよび、幅方向と直交する方向を「スライド方向」とよぶ。
【００３２】
表示本体部１１は、スライド方向について、スライド保持部１２よりも僅かに大きい寸法とされている。したがって、表示本体部１１が、最も奥まで差し込まれた状態（すなわち、スライド方向の差し込み側の端部がスライド保持部１２の内縁部に突き当たるまで差し込まれた状態）において、表示本体部１１の逆側の端部が、スライド保持部１２の開口端縁１２１から突出し、スライド保持部１２から露出する（図１（ａ）、図１（ｂ））。使用者は、この露出した部分（露出部）１１２を掴むことで、表示本体部１１をスライド保持部１２から容易に引き出すことができる。なお、スライド保持部１２の背面側において、開口端縁１２１には、滑らかな曲線を描いて切り欠かれた切欠き部１２１１が形成されており（図１（ｂ））、使用者が露出部１１２を十分に掴みやすいようになっている。
【００３３】
スライド保持部１２の開口端縁１２１の両端部には、正面側と背面側の各薄板状の部材が局所的に固着されることによりガイド部１２２が形成されており、一対のガイド部１２２，１２２によって開口端縁１２１における開口部分の幅が狭められている。一方、表示本体部１１の幅は、開口端縁１２１における開口部分の幅と略同一とされている。したがって、表示本体部１１は、一対のガイド部１２２，１２２によってガイドされることで、スライド保持部１２と略平行な姿勢を保ちつつ、スライド方向にスライド移動できるようになっている。また、表示本体部１１における、スライド方向の差し込み側の端部には、その両端に、幅方向に延出した延出部１１３が形成されている。したがって、表示本体部１１が、各延出部１１３が各ガイド部１２２に引っ掛かる位置まで引き出されると、それ以上は、引き出し方向にスライド移動できない（図１（ｃ））。これによって、表示本体部１１が、スライド保持部１２から抜け落ちてしまわないように係止される。つまり、ガイド部１２２は、スライド保持部１２のスライド移動をガイドするガイド部としての役割と、延出部１３３を係止するための被係止部としての役割とを担う。
【００３４】
このような構成において、表示本体部１１が、スライド保持部１２に最も奥まで差し込まれて、露出部１１２を除く部分がスライド保持部１２に収容されると、付箋貼付面領域１１１に貼り付けられている付箋Ｇに書き込まれた情報（サブ情報）Ｄ１が視認不可能な状態（不使用状態）となる（図１（ａ）、図１（ｂ））。一方、スライド保持部１２に収容されている表示本体部１１が、スライド保持部１２に対してスライド移動されてここから引き出されると、サブ情報Ｄ１が視認されるように表示される状態（使用状態）となる（図１（ｃ））。
【００３５】
このように、表示本体部１１は、これがスライド保持部１２に対してスライド移動されることによって、使用状態と不使用状態とが切り替えられるように構成されている。したがって、使用者は、スライド保持部１２に最も奥まで差し込まれた状態の表示本体部１１の露出部１１２を掴んで、表示本体部１１をスライド保持部１２から引き出す方向に引っ張って、表示本体部１１を該方向にスライド移動させることで、表示本体部１１を不使用状態から使用状態に切り替えることができる。また、使用者は、スライド保持部１２から引き出されている状態の表示本体部１１の露出部１１２を掴んで、表示本体部１１をスライド保持部１２に差し込む方向に押し込んで、表示本体部１１を該方向にスライド移動させることで、表示本体部１１を使用状態から不使用状態に切り替えることができる。
【００３６】
＜２．サブ表示装置１の使用態様＞
サブ表示装置１は、メインとなる表示装置（メイン表示装置）２と組み合わせて用いられて、サブ情報Ｄ１を表示する。サブ表示装置１の使用態様について、図１に加え、図２を参照しながら説明する。図２は、サブ表示装置１の使用態様を示す図である。具体的には、図２（ａ）は、表示本体部１１が不使用状態にあるサブ表示装置１を示す図であり、図２（ｂ）は、表示本体部１１が使用状態にあるサブ表示装置１を示す図である。なお、メイン表示装置２として何を用いるかは、使用者が任意に選択することができる。この実施形態では、ノート型パーソナルコンピュータＰＣが備えるディスプレイが、メイン表示装置２とされるものとする。
【００３７】
上記の通り、サブ表示装置１は、表示本体部１１がスライド保持部１２内にスライド可能に収容された構成となっているところ、このスライド保持部１２は、その全体がメイン表示装置２と重なり、かつ、開口端縁１２１がメイン表示装置２の端縁の近傍に配置されるような位置において、メイン表示装置２の背面に取り付けられる。つまり、表示本体部１１は、スライド保持部１２を介して、メイン表示装置２に取り付けられる。
【００３８】
スライド保持部１２をメイン表示装置２に取り付ける態様はどのようなものであってもよい。ここでは、スライド保持部１２の正面に両面テープが貼付されていて、使用者が該両面テープの剥離紙を取り除くことで該正面に粘着層１２３が形成されるようになっており、スライド保持部１２は、この粘着層１２３を介してメイン表示装置２の背面に固定されることによって、メイン表示装置２に取り付けられるものとする。
【００３９】
メイン表示装置２に取り付けられたサブ表示装置１において、表示本体部１１が不使用状態とされると、上記の通り、付箋貼付面領域１１１に貼り付けられている付箋Ｇに書き込まれたサブ情報Ｄ１が、視認不可能な状態となる（図２（ａ））。このとき、サブ表示装置１は、その全体あるいはほぼ全体（すなわち、少なくとも、表示本体部１１における露出部１１２を除いた全体）が、メイン表示装置２の背面側にこれと重なるように配置される。したがって、サブ表示装置１が邪魔になりにくい。
【００４０】
一方、不使用状態にある表示本体部１１が、スライド保持部１２に対してスライド移動されてここから引き出されることによって使用状態に切り替えられると、表示本体部１１における付箋貼付面領域１１１の全体あるいは一部が、メイン表示装置２に隣接する位置に、メイン表示装置２と重ならないように配置され、サブ情報Ｄ１がこのような位置において視認されるように表示される（図２（ｂ））。したがって、このときに、メイン表示装置２に情報（メイン情報）Ｄ２が表示されると、使用者は、表示されたメイン情報Ｄ２の近傍にサブ情報Ｄ１を視認することができる。
【００４１】
もっとも、使用者は、表示本体部１１の使用状態／不使用状態を、メイン表示装置２の状態と無関係に切り替えることが可能であり、例えば、メイン表示装置２にメイン情報Ｄ２が表示されていない状態で、表示本体部１１が使用状態とされてもよいし、メイン表示装置２にメイン情報Ｄ２が表示されている状態で、表示本体部１１が不使用状態とされてもよい。
【００４２】
＜３．効果＞
上記の実施形態に係るサブ表示装置１は、メイン情報Ｄ２を表示するメイン表示装置２と組み合わせて用いられて、サブ情報Ｄ１を表示する。このサブ表示装置１は、メイン表示装置２よりも小型の板状体であって、メイン表示装置２に取り付けて用いられる表示本体部１１を備える。この表示本体部１１は、使用状態と不使用状態の間で切り替え可能に構成されており、表示本体部１１が使用状態とされると、表示本体部１１に、サブ情報Ｄ１が視認されるように表示され（図２（ｂ））、表示本体部１１が不使用状態とされると、サブ情報Ｄ１が視認不可能となるように構成されている（図２（ａ））。したがって、表示本体部１１を使用状態から不使用状態に切り替えることで、サブ情報Ｄ１を視認不可能とすることができるので、サブ情報Ｄ１の秘匿性を高めることができる。
【００４３】
また、上記の実施形態に係るサブ表示装置１は、表示本体部１１をスライド可能に保持するスライド保持部１２を備える。そして、表示本体部１１の少なくとも一部が、スライド保持部１２に収容されることで、サブ情報Ｄ１が視認不可能となるように構成されている。この構成によると、使用者が、簡単な操作で、表示本体部１１を不使用状態とすることができるとともに、サブ表示装置１の構成を簡易なものとすることができる。
【００４４】
また、上記の実施形態に係るサブ表示装置１は、不使用状態において、表示本体部１１の一部１１２が、スライド保持部１２から露出するように構成されている。この構成によると、該露出した部分（露出部）１１２を掴んで表示本体部１１をスライド保持部１２から容易に引き出すことができるので、使用者は、不使用状態から使用状態への切り替えを容易に行うことができる。
【００４５】
また、上記の実施形態に係るサブ表示装置１は、その全体（あるいは、表示本体部１１の露出部１１２を除く全体）を、メイン表示装置２の背面側にこれと重なるように配置することが可能である（図２（ａ））。この構成によると、サブ表示装置１を、必要に応じてメイン表示装置２の背面側にこれと重なるように配置することができるので、サブ表示装置１が邪魔になりにくい。例えば、メイン表示装置２がノート型パーソナルコンピュータＰＣのディスプレイである場合に、これを持ち運ぶ際にサブ表示装置１が邪魔になりにくい。
【００４６】
また、上記の実施形態に係るサブ表示装置１においては、表示本体部１１が、付箋Ｇの貼り付けが可能な面領域（付箋貼付面領域）１１１を備え、サブ情報Ｄ１が、付箋貼付面領域１１１に貼り付けられた付箋Ｇに書き込まれている情報である。この構成によると、サブ表示装置１の構成を簡易なものとすることができる。
【００４７】
また、上記の実施形態に係るサブ表示装置１は、スライド保持部１２が袋状であるので、不使用状態において、表示本体部１１にキズ等が付きにくい。また、不使用状態において、付箋貼付面領域１１１に貼り付けられている付箋Ｇが外部にさらされないように保護されるため剥がれ落ちにくく、これが剥がれ落ちたとしても紛失されにくい。また、付箋Ｇは、表示本体部１１とスライド保持部１２の間に挟まれ、付箋貼付面領域１１１によってスライド保持部１２に向けて押さえ付けられるので、特に剥がれ落ちにくい。
【００４８】
＜４．変形例＞
サブ表示装置１の構成は、上記に説明したものに限らない。以下において、サブ表示装置１の変形例を説明する。なお、以下においては、上記の実施形態と相違する点のみを説明し、上記の実施形態において説明した要素については同じ符号で表すとともにその説明を省略する。
【００４９】
＜４−１．第１変形例＞
上記の実施形態において、スライド保持部１２は、略矩形の薄板状の部材が２枚重ね合わされて、３辺が綴じられて袋状とされた部材であったが、スライド保持部１２の構成はこれに限らない。
【００５０】
図３には、別の態様に係るスライド保持部１２ａが示されている。このスライド保持部１２ａは、上記の実施形態に係るスライド保持部１２において、正面側および背面側の各薄板状の部材がともに、開口端縁から大きく切り欠かれて、コ字状とされたものである。表示本体部１１は、付箋貼付面領域１１１を正面に向け、スライド移動を許容されつつ、その幅方向の両端がスライド保持部１２ａの内部に収容される。また、表示本体部１１がスライド保持部１２ａに最も奥まで差し込まれた状態においては、表示本体部１１の差し込み側の端部も、スライド保持部１２ａの内部に収容される。このスライド保持部１２ａは、例えば、両面テープ等によってスライド保持部１２ａの正面の略全体に亘って形成された粘着層１２３ａを介して、メイン表示装置２の背面に固定される。
【００５１】
また、図４には、さらに別の態様に係るスライド保持部１２ｂが示されている。このスライド保持部１２ｂは、１枚の矩形の薄板状の部材の幅方向の両端部が、正面側に折り返されたものである。表示本体部１１は、付箋貼付面領域１１１を正面に向け、スライド移動を許容されつつ、その幅方向の両端がスライド保持部１２ｂの内部に収容される。このスライド保持部１２ｂは、例えば、両面テープ等によって各折り返し部分に形成された粘着層１２３ｂを介して、メイン表示装置２の背面に固定される。
【００５２】
これらの各構成に係るスライド保持部１２ａ，１２ｂによると、その形成材料が少なくてすむので、製造コストを抑えることができる。なお、これらの各構成に係るスライド保持部１２ａ，１２ｂは、付箋貼付面領域１１１の全体を覆うものではない。しかしながら、表示本体部１１がメイン表示装置２に取り付けられた状態において、付箋貼付面領域１１１はメイン表示装置２の背面と対向する向きで配置されるので、不使用状態において付箋貼付面領域１１１にキズ等が付きにくく、ここに貼り付けられている付箋Ｇが剥がれ落ちにくい。特に、これらの各構成に係るスライド保持部１２ａ，１２ｂによると、付箋貼付面領域１１１とメイン表示装置２の背面との間に、スライド保持部１２ａ，１２ｂの厚み分の隙間ができるので、表示本体部１１をスライド保持部１２ａ，１２ｂに対してスライド移動させたときに付箋Ｇがメイン表示装置２の背面にこすれたりしにくい。このため、付箋Ｇが特に剥がれ落ちにくい。
【００５３】
＜４−２．第２変形例＞
上記の実施形態において、表示本体部１１は、スライド保持部１２に収容されることによってサブ情報Ｄ１が視認不可能な不使用状態となっていたが、サブ情報Ｄ１を視認不可能とする態様はこれに限らない。
【００５４】
例えば、図５に示されるサブ表示装置１ｃは、略矩形の薄板状の部材である表示本体部１１ｃと、その主面の法線方向に延在する軸部１３ｃとを備え、表示本体部１１ｃが、その角部分において、軸部１３ｃの回りで回転可能に、該軸部１３ｃに取り付けられた構成を備える。
【００５５】
このサブ表示装置１ｃは、表示本体部１１ｃにおける付箋貼付面領域１１１ｃを正面に向けつつ、軸部１３ｃがメイン表示装置２の背面に取り付けられることによって、メイン表示装置２に取り付けられる。ただし、軸部１３ｃは、メイン表示装置２の背面におけるその端縁の近傍の位置に、該背面の法線方向に延在するような姿勢で取り付けられる。
【００５６】
このような構成において、表示本体部１１ｃが軸部１３ｃの周りで適宜に回転されることで、表示本体部１１ｃは、付箋貼付面領域１１１ｃがメイン表示装置２の背面側にこれと重なるように配置される（図５の２点鎖線）。これによって、付箋貼付面領域１１１ｃに貼り付けられている付箋Ｇに書き込まれたサブ情報Ｄ１が、視認不可能な状態（不使用状態）となる。
【００５７】
一方、表示本体部１１ｃが軸部１３ｃの回りで適宜に回転されることで、表示本体部１１ｃにおける付箋貼付面領域１１１ｃの全体あるいは一部が、メイン表示装置２に隣接する位置に、メイン表示装置２と重ならないように配置される（図５の実線）。これによって、サブ情報Ｄ１が視認されるように表示される状態（使用状態）となる。
【００５８】
このように、表示本体部１１ｃは、これが軸部１３ｃの回りで回転されることによって、使用状態と不使用状態とが切り替えられるように構成されており、上記の実施形態と同様の効果を得ることができる。特に、サブ表示装置１ｃにおいては、表示本体部１１ｃのほぼ全体がメイン表示装置２の背面側にこれと重なるように配置されることで、サブ情報Ｄ２が視認不可能となるように構成されているので、不使用状態への切り替えが容易である。また、不使用状態において表示本体部１１ｃが邪魔になりにくく、不使用状態とされている表示本体部１１ｃによってメイン情報Ｄ２の視認が妨げられることがない。また、上記の実施形態に係るサブ表示装置１と同様、サブ表示装置１ｃにおいても、表示本体部１１ｃがメイン表示装置２の背面側にこれと重なるように配置されたときに、付箋貼付面領域１１１ｃが、メイン表示装置２の背面と対向する向きで配置される。したがって、不使用状態において付箋貼付面領域１１１ｃにキズ等が付きにくく、ここに貼り付けられている付箋Ｇが剥がれ落ちにくい。
【００５９】
上記の構成において、表示本体部１１ｃに、その周縁から延出するタグ状の露出部１１２ｃが設けられて、表示本体部１１ｃが不使用状態とされたときに、この露出部１１２ｃの少なくとも先端部が、メイン表示装置２の周縁から突出して、メイン表示装置２と重ならずに露出して配置されるようにすることが好ましい。このような露出部１１２ｃが設けられていると、これを掴んで表示本体部１１ｃを容易に回転させることができるので、使用者は、不使用状態から使用状態への切り替えを容易に行うことができる。
【００６０】
また例えば、図６に示されるサブ表示装置１ｄは、略矩形の薄板状の部材である表示本体部１１ｄと、その主面の面方向に延在する軸部１３ｄとを備え、表示本体部１１ｄが、その端縁部分において、軸部１３ｄの回りで回転可能に、該軸部１３ｄに取り付けられた構成を備える。
【００６１】
このサブ表示装置１ｄは、軸部１３ｄがメイン表示装置２の背面に取り付けられることによって、メイン表示装置２に取り付けられる。ただし、軸部１３ｄは、メイン表示装置２の背面におけるその端縁の近傍の位置に、該端縁と略平行に延在するような姿勢で取り付けられる。
【００６２】
このような構成において、表示本体部１１ｄが軸部１３ｄの周りで適宜に回転されることで、表示本体部１１ｄは、付箋貼付面領域１１１ｄがメイン表示装置２の背面側にこれと重なるように配置される（図６の２点鎖線）。これによって、付箋貼付面領域１１１ｄに貼り付けられている付箋Ｇに書き込まれたサブ情報Ｄ１が、メイン表示装置２の正面側から視認不可能な状態（不使用状態）となる。
【００６３】
一方、表示本体部１１ｄが軸部１３ｄの回りで適宜に回転されることで、表示本体部１１ｄにおける付箋貼付面領域１１１ｄの全体あるいは一部が、メイン表示装置２に隣接する位置に、メイン表示装置２と重ならないように配置される（図６の実線）。これによって、サブ情報Ｄ１が視認されるように表示される状態（使用状態）となる。
【００６４】
このように、表示本体部１１ｄは、これが軸部１３ｄの回りで回転されることによって、使用状態と不使用状態とが切り替えられるように構成されており、上記の実施形態と同様の効果を得ることができる。また、サブ表示装置１ｄにおいても、表示本体部１１ｄのほぼ全体がメイン表示装置２の背面側にこれと重なるように配置されることで、サブ情報Ｄ２が視認不可能となるように構成されているので、不使用状態への切り替えが容易である。また、不使用状態において表示本体部１１ｄが邪魔になりにくく、不使用状態とされている表示本体部１１ｄによってメイン情報Ｄ２の視認が妨げられることがない。
【００６５】
上記の構成において、表示本体部１１ｄに、その周縁から延出するタグ状の露出部１１２ｄが設けられて、表示本体部１１ｄが不使用状態とされたときに、この露出部１１２ｄの少なくとも先端部が、メイン表示装置２の周縁から突出して、メイン表示装置２と重ならずに露出して配置されるようにすることが好ましい。このような露出部１１２ｄが設けられていると、これを掴んで表示本体部１１ｄを容易に回転させることができるので、使用者は、不使用状態から使用状態への切り替えを容易に行うことができる。
【００６６】
また例えば、図７に示されるサブ表示装置１ｅは、略矩形の薄板状の部材である表示本体部１１ｅと、これと一体的に連設された固定部１４ｅと、これらの境界に設けられた折り曲げ自在の屈曲部１５ｅと、を備える。
【００６７】
このサブ表示装置１ｅは、固定部１４ｅが、例えば両面テープ等によって形成された粘着層１４１ｅを介して、メイン表示装置２の背面に固定されることによって、メイン表示装置２に取り付けられる。ただし、固定部１４ｅは、屈曲部１５ｅがメイン表示装置２の端縁の近傍に配置されるような位置に、取り付けられる。
【００６８】
このような構成において、表示本体部１１ｅが固定部１４ｅに重なるように折り曲げられることで、表示本体部１１ｅは、付箋貼付面領域１１１ｅが、メイン表示装置２の背面側にこれと重なるように配置される（図７の２点鎖線）。これによって、付箋貼付面領域１１１ｅに貼り付けられている付箋Ｇに書き込まれたサブ情報Ｄ１が、メイン表示装置２の正面側から視認不可能な状態（不使用状態）となる。
【００６９】
一方、表示本体部１１ｅが固定部１４ｅと略面一になるような位置に配置されることで、表示本体部１１ｅにおける付箋貼付面領域１１１ｅの全体あるいは一部が、メイン表示装置２に隣接する位置に、メイン表示装置２と重ならないように配置される（図７の実線）。これによって、サブ情報Ｄ１が視認されるように表示される状態（使用状態）となる。
【００７０】
このように、表示本体部１１ｅは、これが固定部１４ｅとなす角度が屈曲部１５ｅを介して変更されることによって、使用状態と不使用状態とが切り替えられるように構成されており、上記の実施形態と同様の効果を得ることができる。また、サブ表示装置１ｅにおいても、表示本体部１１ｅのほぼ全体がメイン表示装置２の背面側にこれと重なるように配置されることで、サブ情報Ｄ２が視認不可能となるように構成されているので、不使用状態への切り替えが容易である。また、不使用状態において表示本体部１１ｅが邪魔になりにくく、不使用状態とされている表示本体部１１ｅによってメイン情報Ｄ２の視認が妨げられることがない。
【００７１】
上記の構成において、表示本体部１１ｅに、その周縁から延出するタグ状の露出部１１２ｅが設けられて、表示本体部１１ｅが不使用状態とされたときに、この露出部１１２ｅの少なくとも先端部が、メイン表示装置２の周縁から突出して、メイン表示装置２と重ならずに露出して配置されるようにすることが好ましい。このような露出部１１２ｅが設けられていると、これを掴んで表示本体部１１ｅを容易に回転させることができるので、使用者は、不使用状態から使用状態への切り替えを容易に行うことができる。
【００７２】
また、上記の構成において、表示本体部１１ｅがメイン表示装置２の正面側に折り曲げられて、付箋貼付面領域１１１ｅが、メイン表示装置２の正面側にこれと重なるように配置されてもよい。このようにしても、付箋貼付面領域１１１ｅに貼り付けられている付箋Ｇに書き込まれたサブ情報Ｄ１が視認不可能な状態（不使用状態）となる。このようにしておけば、メイン表示装置２の正面側からも背面側からもサブ情報Ｄ１が視認不可能となるので、サブ情報Ｄ１の秘匿性を十分に高めることができる。
【００７３】
また例えば、図８に示されるサブ表示装置１ｆは、略矩形の薄板状の部材である表示本体部１１ｆの表面の両側縁部分に設けられた一対の面ファスナーオス面１６ｆ，１６ｆと、メイン表示装置２の周縁部分とその内側の部分に設けられた一対の面ファスナーメス面１７ｆ，１７ｆと、を備える。
【００７４】
このサブ表示装置１ｆは、表示本体部１１ｆに設けられた面ファスナーオス面１６ｆが、メイン表示装置２に設けられた面ファスナーメス面１７ｆに接着されることによって、メイン表示装置２に取り付けられる。
【００７５】
このような構成において、表示本体部１１ｆの一対の面ファスナーオス面１６ｆ，１６ｆがメイン表示装置２の一対の面ファスナーメス面１７ｆ，１７ｆに接着されるような位置（第１取り付け位置）に取り付けられることで、表示本体部１１ｆは、その全体が、メイン表示装置２の背面側にこれと重なるように配置される（図８の２点鎖線）。これによって、付箋貼付面領域１１１ｆに貼り付けられている付箋Ｇに書き込まれたサブ情報Ｄ１が、メイン表示装置２の正面側から視認不可能な状態（不使用状態）となる。
【００７６】
一方、表示本体部１１ｆの一方の面ファスナーオス面１６ｆが、メイン表示装置２における周縁部分側の面ファスナーメス面１７ｆに接着されるような位置（第２取り付け位置）に取り付けられることで、表示本体部１１ｆにおける付箋貼付面領域１１１ｆの全体あるいは一部が、メイン表示装置２に隣接する位置に、メイン表示装置２と重ならないように配置される（図８の実線）。これによって、サブ情報Ｄ１が視認されるように表示される状態（使用状態）となる。
【００７７】
このように、表示本体部１１ｆは、その取り付け位置が変更されることによって、使用状態と不使用状態とが切り替えられるように構成されており、上記の実施形態と同様の効果を得ることができる。また、サブ表示装置１ｆにおいても、表示本体部１１ｆの全体がメイン表示装置２の背面側にこれと重なるように配置されることで、サブ情報Ｄ２が視認不可能となるように構成されているので、不使用状態への切り替えが容易である。また、不使用状態において表示本体部１１ｆが邪魔になりにくく、不使用状態とされている表示本体部１１ｆによってメイン情報Ｄ２の視認が妨げられることがない。また、上記の実施形態に係るサブ表示装置１と同様、サブ表示装置１ｆにおいても、表示本体部１１ｆがメイン表示装置２の背面側にこれと重なるように配置されたときに、付箋貼付面領域１１１ｆが、メイン表示装置２の背面と対向する向きで配置される。したがって、不使用状態において付箋貼付面領域１１１ｆにキズ等が付きにくく、ここに貼り付けられている付箋Ｇが剥がれ落ちにくい。
【００７８】
＜４−３．第３変形例＞
上記の実施形態において、表示本体部１１は、その一方の主面に、サブ情報Ｄ１が書き込まれた付箋Ｇが貼り付けられるものとしたが、表示本体部１１の構成はこれに限らない。
【００７９】
例えば、図９に示されるサブ表示装置１ｇは、表示本体部１１ｇが、メイン表示装置２よりも小型の、表示機能を備える板状の電子機器（具体的には、タブレット型パーソナルコンピュータ、スマートフォン、携帯電話、等であり、図の例では、タブレット型パーソナルコンピュータ）ＴＢで構成され、これが適宜の取り付け構造によって、メイン表示装置２と隣接する位置に取り付けられる。
【００８０】
ここでは、タブレット型パーソナルコンピュータＴＢの制御部から出力される情報がサブ情報Ｄ１となり、該出力されたサブ情報Ｄ１がタブレット型パーソナルコンピュータＴＢの表示画面１１１ｇに視覚的に表示される。具体的には、タブレット型パーソナルコンピュータＴＢに所定のアプリケーションソフトウェアがインストールされることにより、使用者によってタブレット型パーソナルコンピュータＴＢに入力されたサブ情報Ｄ１を記述した画面（サブ情報表示画面）Ｇｄを作成する機能（画面作成機能）と、作成されたサブ情報表示画面Ｇｄを表示画面１１１ｇに表示させる機能（表示制御機能）と、が実現される。
【００８１】
また、該アプリケーションソフトウェアがインストールされることにより、該タブレット型パーソナルコンピュータＴＢがメイン表示装置２に取り付けられたか否かを検出する機能（着脱状態検出機能）と、タブレット型パーソナルコンピュータＴＢがメイン表示装置２に取り付けられたことが検出された場合に、サブ情報表示画面Ｇｄの表示を開始させる機能（表示開始機能）と、タブレット型パーソナルコンピュータＴＢがメイン表示装置２から取り外されたことが検出された場合に、サブ情報表示画面Ｇｄの表示を終了させる機能（表示終了機能）と、が実現される。
【００８２】
このような構成において、表示本体部１１ｇであるタブレット型パーソナルコンピュータＴＢが、メイン表示装置２に隣接する位置に取り付けられると、表示画面１１１ｇにサブ情報表示画面Ｇｄが表示される。これによって、サブ情報Ｄ１が視認されるように表示される状態（使用状態）となる（図９の実線）。
【００８３】
一方、タブレット型パーソナルコンピュータＴＢがメイン表示装置２から取り外されると、サブ情報表示画面Ｇｄの表示が終了される。これによって、サブ情報Ｄ１が視認不可能な状態（不使用状態）となる（図９の２点鎖線）。
【００８４】
このように、表示本体部１１ｇは、これがメイン表示装置２に対して着脱されることによって、使用状態と不使用状態とが切り替えられるように構成されており、上記の実施形態と同様、サブ情報Ｄ１の秘匿性を高めることができる。
【００８５】
また例えば、図１０に示されるサブ表示装置１ｈは、表示本体部１１ｈが、ノート型パーソナルコンピュータＰＣと接続された、メイン表示装置２とは別のこれよりも小型の表示装置（小型表示装置）Ｍで構成され、これが適宜の取り付け構造によって、メイン表示装置２と隣接する位置に取り付けられる。
【００８６】
ここでは、ノート型パーソナルコンピュータＰＣの制御部から小型表示装置Ｍに出力される情報がサブ情報Ｄ１となり、該出力されたサブ情報Ｄ１が小型表示装置Ｍの表示画面１１１ｈに視覚的に表示される。具体的には、ノート型パーソナルコンピュータＰＣに所定のアプリケーションソフトウェアがインストールされることにより、使用者によってノート型パーソナルコンピュータＰＣに入力されたサブ情報Ｄ１を記述した画面（サブ情報表示画面）Ｇｄを作成する機能（画面作成機能）と、作成されたサブ情報表示画面Ｇｄを表示画面１１１ｈに表示させる機能（表示制御機能）と、が実現される。
【００８７】
また、該アプリケーションソフトウェアがインストールされることにより、使用者がサブ情報Ｄ１の表示開始指示をノート型パーソナルコンピュータＰＣに入力した場合に、サブ情報表示画面Ｇｄの表示を開始させる機能（表示開始機能）と、使用者がサブ情報Ｄ１の表示終了指示をノート型パーソナルコンピュータＰＣに入力した場合に、サブ情報表示画面Ｇｄの表示を終了させる機能（表示終了機能）と、が実現される。
【００８８】
このような構成において、使用者が、ノート型パーソナルコンピュータＰＣに表示開始指示を入力すると、表示画面１１１ｈにサブ情報表示画面Ｇｄが表示される。これによって、サブ情報Ｄ１が視認されるように表示される状態（使用状態）となる（図１０に示される状態）。
【００８９】
一方、使用者が、ノート型パーソナルコンピュータＰＣに表示終了指示を入力すると、サブ情報表示画面Ｇｄの表示が終了される。これによって、サブ情報Ｄ１が視認不可能な状態（不使用状態）となる。
【００９０】
このように、表示本体部１１ｈは、使用者からの指示入力に応じて、使用状態と不使用状態とが切り替えられるように構成されており、上記の実施形態と同様、サブ情報Ｄ１の秘匿性を高めることができる。
【００９１】
なお、上記の各構成において、サブ情報表示画面Ｇｄは、サブ情報Ｄ１が付箋に記述されたような形態で表示されるものとすることも好ましい。この構成によると、使用者は、付箋Ｇを用いてサブ情報Ｄ１を表示する使用態様と似た使用感を得ることができる。
【００９２】
また、表示本体部１１ｈがメイン表示装置２とは別の小型表示装置Ｍで構成されるサブ表示装置１ｈにおいて、小型表示装置Ｍの表示画面１１１ｈとメイン表示装置２の表示画面とが、１個の大画面とされるものであってもよい。すなわち、各表示画面間で、マウスポインタやウインドウを移動させることができるものであってもよい。
【００９３】
＜４−４．第４変形例＞
上記の実施形態では、サブ表示装置１がメイン表示装置２に直接に取り付けられるものとしていたが、サブ表示装置１は、メイン表示装置２に間接的に取り付けられてもよい。
【００９４】
例えば、図１１には、上記の実施形態に係るサブ表示装置１が、メイン表示装置２に間接的に取り付けられる構成が例示されている。ここでは、サブ表示装置１は、メイン表示装置２に設けられたカバー部３を介して、間接的にメイン表示装置２に取り付けられる。
【００９５】
具体的には、ここでは、メイン表示装置２は、表示機能を備える板状の電子機器（具体的には、タブレット型パーソナルコンピュータ、スマートフォン、携帯電話、等であり、図の例では、スマートフォン）ＳＰで構成されている。また、このスマートフォンＳＰは、二つ折り型の保護カバー３に取り付けられている。二つ折り型の保護カバー３は、ベース部３１とカバー部３２が折れ曲がり部３３を介して連なった構成となっており、ベース部３１にスマートフォンＳＰが取り付けられ、カバー部３２がベース部３１に重なるように配置されることで、ベース部３１に取り付けられているスマートフォンＳＰの表面を覆ってこれを保護するものである。
【００９６】
ここでは、スライド保持部１２が、保護カバー３のカバー部３２に取り付けられる。つまりここでは、サブ表示装置１は、保護カバー３を介して間接的にメイン表示装置２に取り付けられる。ここで、スライド保持部１２は、図１１（ａ）に示されるように、カバー部３２の内方面（保護カバー３が二つ折りにされたときに、スマートフォンＳＰと対向する側の面）に取り付けられてもよいし、図１１（ｂ）に示されるように、外方面（内方面と逆の面）に取り付けられてもよい。また、上記の実施形態と同様、この構成においても、スライド保持部１２を保護カバー３に取り付ける態様はどのようなものであってもよく、例えば、両面テープにより形成される粘着層１２３を介してカバー部３２に取り付けられるものとしてもよい。
【００９７】
このような構成において、表示本体部１１が不使用状態とされると、付箋貼付面領域１１１に貼り付けられている付箋Ｇに書き込まれたサブ情報Ｄ１が、視認不可能な状態となる（図１１（ａ）および図１１（ｂ）の２点鎖線）。このとき、サブ表示装置１は、その全体あるいはほぼ全体が、カバー部３２と重なるように配置される。したがって、サブ表示装置１が邪魔になりにくい。
【００９８】
一方、不使用状態にある表示本体部１１が、スライド保持部１２に対してスライド移動されてここから引き出されることによって使用状態に切り替えられると、表示本体部１１における付箋貼付面領域１１１の全体あるいは一部が、メイン表示装置２の近傍に、メイン表示装置２と重ならないように配置され、サブ情報Ｄ１がこのような位置において視認されるように表示される（図１１（ａ）および図１１（ｂ）の実線）。
【００９９】
このように、サブ表示装置１が、メイン表示装置２に間接的に取り付けられる場合も、上記の実施形態と同様の効果を得ることができる。なお、ここでは、保護カバー３が二つ折り型の場合を例示したが、保護カバーの形態はこれに限らない。例えば、スマートフォンＳＰに、その背面および側面を覆う平板型の保護カバーが取り付けられた場合に、該保護カバーの背面側に、サブ表示装置１が取り付けられてもよい。
【０１００】
＜４−５．他の変形例＞
上記の実施形態あるいは変形例において、スライド保持部１２，１２ａ，１２ｂ、固定部１４ｅは、両面テープを用いてメイン表示装置２に取り付けられていたが、スライド保持部１２，１２ａ，１２ｂ、あるいは固定部１４ｅは、例えば、面ファスナー等を用いてメイン表示装置２に取り付けられてもよいし、メイン表示装置２の背面側にこれと一体的に設けられていてもよい。
【０１０１】
上記の実施形態あるいは変形例において、表示本体部１１，１１ｃ，１１ｄ，１１ｅ，１１ｆの表示面の一部分あるいは全体が、メモ用紙等を貼り付けることができる粘着領域、ピンやマグネットでメモ用紙を留めることができる固定領域、チョークによって情報を直接に書き込むことができる黒板領域、剥離剤を含むマーカー等によって情報を直接に書き込むことができる白板領域、等とされていてもよい。これらの場合、メモ用紙に書き込まれた情報、あるいは、チョークやマーカー等によって書き込まれた情報が、サブ情報Ｄ１となる。
【０１０２】
上記の実施形態あるいは変形例において、スライド保持部１２，１２ｂの背面側に窓部を設けて、使用者が、該窓部を介して表示本体部１１に直接触れて、これをスライド保持部１２，１２ｂに対してスライド移動させることができるようにしてもよい。
【０１０３】
上記の実施形態において、例えば、メイン表示装置２が、ノート型パーソナルコンピュータＰＣのディスプレイである場合に、サブ表示装置１が、該ノート型パーソナルコンピュータＰＣの本体部に取り付けられることによって、該本体部に取り付けられているメイン表示装置２に間接的に取り付けられてもよい。
【０１０４】
上記の実施形態では、メイン表示装置２が、ノート型パーソナルコンピュータＰＣが備えるディスプレイであるとしたが、上述したとおり、メイン表示装置２はこれに限るものではなく、使用者が任意に選択することができる。例えば、デスクトップ型パーソナルコンピュータと接続されたディスプレイ、タブレット型パーソナルコンピュータ、スマートフォン、携帯電話、等といった、表示画面を有する各種の電子機器や情報処理装置が、メイン表示装置２とされてもよい。
【０１０５】
また、上記の実施形態および各変形例における各部の具体的な形状、仕様、その他の詳細な構成等は、本発明の趣旨を逸脱しない範囲で種々の変形が可能である。また、実施形態および各変形例に係る構成を適宜に組み合わせてもよいことはいうまでもない。
【符号の説明】
【０１０６】
１，１ｃ，１ｄ，１ｅ，１ｆ，１ｇ，１ｈ  サブ表示装置
２  メイン表示装置
１１，１１ｃ，１１ｄ，１１ｅ，１１ｆ，１１ｇ，１１ｈ  表示本体部
１１２  露出部
１１３  延出部
１２，１２ａ，１２ｂ  スライド保持部
１２１  開口端縁
１２１１  切欠き部
１２２  ガイド部
１２３  粘着層
３  保護カバー
Ｄ１  サブ情報
Ｄ２  メイン情報
Ｇ  付箋
Ｇｄ  サブ情報表示画面
ＰＣ  ノート型パーソナルコンピュータ
ＴＢ  タブレット型パーソナルコンピュータ
ＳＰ  スマートフォン
Ｍ  小型表示装置
【図１】
2020135119.tif 000003
【図２】
2020135119.tif 000004
【図３】
2020135119.tif 000005
【図４】
2020135119.tif 000006
【図５】
2020135119.tif 000007
【図６】
2020135119.tif 000008
【図７】
2020135119.tif 000009
【図８】
2020135119.tif 000010
【図９】
2020135119.tif 000011
【図１０】
2020135119.tif 000012
【図１１】
2020135119.tif 000013